(57)【要約】【課題】  小型化した場合でも、回折素子が生成したサブビームの光記録媒体上でのスポット位置を容易に調整可能な光ヘッド装置の製造方法、および光ヘッド装置を提供すること。【解決手段】  光ヘッド装置を製造する際、２つの発光素子２１、２２、および２つの回折素子７１、７２などを光学モジュール３として一体化するとともに、光学モジュール３上で２つの回折素子７１、７２同士の相対的な位置関係を調整した後、光学モジュール３全体を装置フレーム４上で位置調整する。【選択図】    図２
2005078661.tif 000002
【特許請求の範囲】
【請求項１】
異なる波長の光を出射する複数の光源と、該複数の光源が出射した光のそれぞれからメインビームおよびサブビームを生成する複数の回折素子と、光記録媒体からの反射光を受光する共通の受光素子と、前記複数の光源、前記複数の回折素子、前記受光素子、および対物レンズ駆動機構が搭載された装置フレームとを有する光ヘッド装置の製造方法において、
少なくとも、前記複数の光源、および前記複数の回折素子を光学モジュールとして一体化するとともに、当該光学モジュール上で前記複数の回折素子同士の相対的な位置関係を調整し、
次に、前記光学モジュール全体を前記装置フレーム上で位置調整することにより、光記録媒体上でのサブビームのスポット位置を調整し、
しかる後に、前記光学モジュールを前記装置フレーム上に固定することを特徴とする光ヘッド装置の製造方法。
【請求項２】
請求項１において、前記光学モジュール上での前記複数の回折素子同士の相対的な位置関係の調整は、前記複数の回折素子によって生成された回折光サブビーム像を観察して行うことを特徴とする光ヘッド装置の製造方法。
【請求項３】
請求項１において、前記光学モジュール上での前記複数の回折素子同士の相対的な位置関係の調整は、前記複数の回折素子の各々に形成されている格子パターンを観察して行うことを特徴とする光ヘッド装置の製造方法。
【請求項４】
異なる波長の光を出射する複数の光源と、該複数の光源が出射した光のそれぞれからメインビームおよびサブビームを生成する複数の回折素子と、光記録媒体からの反射光を受光する共通の受光素子と、前記複数の光源、前記複数の回折素子、前記受光素子、および対物レンズ駆動機構が搭載された装置フレームとを有する光ヘッド装置において、
少なくとも、前記複数の光源、および前記複数の回折素子は、光学モジュールとして一体化された状態で前記装置フレームに搭載され、
前記光学モジュールにおける前記複数の回折素子の各搭載部のうちの少なくとも１つには、前記回折素子の光軸方向における位置決め部と、前記位置決め面に向けて前記回折素子を付勢して当該回折素子を仮固定するバネ部材と、前記回折素子を光軸周りあるいは光軸に平行な軸線回りに揺動させる際の支点となる突起とが構成されていることを特徴とする光ヘッド装置。
【発明の詳細な説明】
【技術分野】
【０００１】
本発明は、ＣＤやＤＶＤなどの光記録ディスクの再生等に用いられる光ヘッド装置の製造方法、および光ヘッド装置に関するものである。
【背景技術】
【０００２】
光ヘッド装置では、光源からの出射光を対物レンズで光記録媒体（光記録ディスク）のディスク面に収束させ、その反射光を受光素子で受光することにより光記録ディスクからの情報再生等を行う。また、光ヘッド装置では、出射光の光スポットがディスク面の信号トラックに高精度に追従できるように、対物レンズを駆動制御してトラッキングエラー補正を行う。
【０００３】
このトラッキングエラー補正のための信号検出方式として、ＣＤ系ディスクの情報再生においては、いわゆる３ビーム（１つのメインビームと、そのメインビームの両側に存在する２つのサブビーム）方式が採用されている。この３ビーム方式では、回折素子により複数ビーム（サブビーム）の生成を行い、サブビームによってトラッキングエラー信号の検出を行っている。
【０００４】
これに対して、読み取り専用のＤＶＤ系ディスクでは、ＤＰＤ（Ｄｉｆｆｅｒｅｎｔｉａｌ  Ｐｈａｓｅ  Ｄｅｔｅｃｔｉｏｎ）法と呼ばれる広義の１ビーム方式によって、トラッキングエラー信号の検出が行われている。また、ＤＶＤ−Ｒ（ＤＶＤ−Ｒｅｃｏｒｄａｂｌｅ）やＤＶＤ−ＲＷ（ＤＶＤ−ＲｅＷｒｉｔａｂｌｅ）などの記録型ディスクでは、ＤＰＰ（Ｄｉｆｆｅｒｅｎｔｉａｌ  Ｐｕｓｈ  Ｐｕｌｌ）法と呼ばれる広義の３ビーム方式でトラッキング信号の検出が行われている。
【０００５】
ここで、３ビーム法のトラッキングエラー信号検出には、光記録ディスク上でのサブビームのスポット位置を結んだ線がトラック接線方向と所定の角度をなすように回折素子の光軸周りの角度位置を調整（位相調整）し、光記録媒体上でのサブビームのスポット位置を調整する必要がある。
【０００６】
また、ＤＶＤ系ディスクおよびＣＤ系ディスクの双方の情報再生記録が可能な２波長光ヘッド装置では、ＤＶＤ系ディスクの情報再生記録用の第１のレーザ光を出射する第１の光源と、ＣＤ系ディスクの情報再生記録用の第２のレーザ光を出射する第２の光源とが必要であり、ＤＶＤ系ディスクおよびＣＤ系ディスクの双方において、３ビーム方式でトラッキング信号の検出を行うには、再生記録に用いるレーザ光の波長やディスクのトラックピッチ等が異なるため、トラッキングエラー検出に用いる回折素子についても、ＤＶＤ系ディスクに対応した第１の回折素子と、ＣＤ系ディスクに対応した第２の回折素子とが必要である。
【０００７】
このため、２波長光ヘッド装置では、その製造工程の最終工程において、装置フレーム上で第１のレーザ光源および第２のレーザ光源の各々を点灯させて、光記録ディスクからの戻り光を受光素子で受光し、その出力信号をモニターしながら、第１の回折素子と第２の回折素子の光軸周りの角度位置を調整している（例えば、特許文献１、２、３、４、５参照）。
【特許文献１】特開２０００−２５１２６８号公報
【特許文献２】特開２００１−５２３５５号公報
【特許文献３】特開２０００−２８５４９４号公報
【特許文献４】特開２００１−１４７２２２号公報
【特許文献５】特開２００１−５６９５５号公報
【発明の開示】
【発明が解決しようとする課題】
【０００８】
しかしながら、光ヘッド装置を小型化した場合、回折素子の搭載部のスペースも小さくなるため、２波長光ヘッド装置の製造工程の最終工程において、装置フレーム上で各光源を各々点灯させ、光記録ディスクからの戻り光の受光結果をモニターしながら、２つの回折素子の各々について光軸周りの角度位置を調整するのは、かなりの手間がかかる作業である。
【０００９】
また、光源、受光素子、回折素子等の光学部品をパッケージ内にモジュール化した光学モジュールを用いて光ヘッド装置の小型化、組立性の向上を図った場合、光学モジュールを装置フレーム上に搭載した状態で各光源を各々点灯させ、光記録ディスクからの戻り光の受光結果をモニターしながら、パッケージ内の狭い空間に近接実装された２つの回折素子の各々について光軸周りの角度位置を調整するのも、かなりの手間がかかる作業である。
【００１０】
以上の問題点に鑑みて、本発明の課題は、小型化した場合でも、回折素子が生成したサブビームの光記録媒体上でのスポット位置を容易に調整可能な光ヘッド装置の製造方法、および光ヘッド装置を提供することにある。
【課題を解決するための手段】
【００１１】
上記の課題を解決するために、本発明は、異なる波長の光を出射する複数の光源と、該複数の光源が出射した光のそれぞれからメインビームおよびサブビームを生成する複数の回折素子と、光記録媒体からの反射光を受光する共通の受光素子と、前記複数の光源、前記複数の回折素子、前記受光素子、および対物レンズ駆動機構が搭載された装置フレームとを有する光ヘッド装置の製造方法において、少なくとも、前記複数の光源、および前記複数の回折素子を光学モジュールとして一体化するとともに、当該光学モジュール上で前記複数の回折素子同士の相対的な位置関係を調整し、次に、前記光学モジュール全体を前記装置フレーム上で位置調整することにより、光記録媒体上でのサブビームのスポット位置を調整し、しかる後に、前記光学モジュールを前記装置フレーム上に固定することを特徴とする。
【００１２】
本発明において、前記光学モジュール上での前記複数の回折素子同士の相対的な位置関係の調整は、例えば、前記複数の回折素子によって生成された回折光サブビーム像を観察して行う。
【００１３】
本発明において、前記光学モジュール上での前記複数の回折素子同士の相対的な位置関係の調整は、前記複数の回折素子の各々に形成されている格子パターンを観察して行ってもよい。
【００１４】
本発明では、異なる波長の光を出射する複数の光源と、該複数の光源が出射した光のそれぞれからメインビームおよびサブビームを生成する複数の回折素子と、光記録媒体からの反射光を受光する共通の受光素子と、前記複数の光源、前記複数の回折素子、前記受光素子、および対物レンズ駆動機構が搭載された装置フレームとを有する光ヘッド装置において、少なくとも、前記複数の光源、および前記複数の回折素子は、光学モジュールとして一体化された状態で前記装置フレームに搭載されているとともに、前記光学モジュールにおける前記複数の回折素子の各搭載部のうちの少なくとも１つには、前記回折素子の光軸方向における位置決め部と、前記位置決め面に向けて前記回折素子を付勢して当該回折素子を仮固定するバネ部材と、前記回折素子を光軸周りあるいは光軸に平行な軸線回りに揺動させる際の支点となる突起とが構成されていることを特徴とする。
【００１５】
本発明では、回折素子をバネ部材で位置決め部に向けて付勢して仮固定し、この状態で突起を支点にして回折素子を光軸周りあるいは光軸に平行な軸線回りに揺動させることができるので、回折素子の光軸周りの角度位置を容易に調整することができる。
【発明の効果】
【００１６】
本発明では、複数の光源、および複数の回折素子を光学モジュールとして一体化するとともに、光学モジュール上で複数の回折素子同士の相対的な位置関係を調整した後、光学モジュール全体を装置フレーム上で位置調整する。すなわち、複数の回折素子については、いずれについてもその位置を調整して、光記録媒体のトラック接線方向に対してサブビームがなす角度を調整する必要があるが、対象となる光記録媒体の種類が決まれば、そのトラックピッチが決まる。その結果、回折素子同士の相対的な位置関係も決まるので、回折素子同士の相対的な位置関係については、光学モジュール上で調整しておく。それ故、本形態によれば、光学モジュールを装置フレーム上に搭載してから小さな回折素子の細かな位置調整を行わなくてもよいので、メインビームおよびサブビームのトラックに対する位置調整作業を容易に行うことができる。
【００１７】
また、光学モジュールにおける複数の回折素子の各搭載部に対して、回折素子の光軸方向における位置決め部と、回折素子を光軸あるいは光軸に平行な軸線回りに揺動させる際の支点となる突起とを形成しておけば、光学モジュール上で複数の回折素子同士の相対的な位置関係を容易に調整することができる。
【発明を実施するための最良の形態】
【００１８】
図面を参照して、本発明を適用した光ヘッド装置および光ヘッド装置の製造方法の一例を説明する。
【００１９】
（全体構成）
図１（Ａ）、（Ｂ）、（Ｃ）は、本発明を適用した光ヘッド装置を斜め上方から見た斜視図、斜め下方から見た斜視図、および光ヘッド装置に用いた光学モジュールに給電用のフレキシブル基板を接続した状態を斜め上方から見た斜視図である。図２（Ａ）、（Ｂ）は、図１の光ヘッド装置において光学系を構成する光学モジュールとプリズムと対物レンズを斜め上方から見た斜視図、および斜め下方から見た斜視図である。なお、図１（Ａ）、（Ｂ）では、フレキシブル基板の図示を省略している。
【００２０】
図１および図２に示す光ヘッド装置１は、光記録媒体２（光記録ディスク）としてＤＶＤ系ディスクおよびＣＤ系ディスクに対する情報記録、情報再生を行うために、波長が６５０ｎｍのレーザ光と、波長が７８０ｎｍのレーザ光とを用いる２波長光ヘッド装置である。
【００２１】
本形態の光ヘッド装置１では、詳しくは後述するが、レーザダイオードなどの発光素子、フォトダイオードなどの受光素子、その他の光学素子が光学モジュール３として一体化されており、この光学モジュール３は、図１（Ｃ）に示すように、その上面にフレキシブル基板４１が取り付けられた状態で金属製あるいは樹脂性の装置フレーム４に搭載されている。また、装置フレーム４には、光学モジュール３からの出射光を光記録媒体に向けて反射する立ち上げプリズム４２、および立ち上げプリズム４２により反射したレーザ光を光記録ディスクに収束される対物レンズ５１を駆動するための対物レンズ駆動機構５も搭載されている。
【００２２】
図１（Ａ）、（Ｂ）に示すように、対物レンズ駆動機構５は、対物レンズ５１を上面中央に保持しているレンズホルダ５２と、このレンズホルダ５２を複数本のワイヤ５３でトラッキング方向およびフォーカシング方向に移動可能に支持しているホルダ支持部材５４と、装置フレーム４に固定されたヨーク５５とを備えている。また、対物レンズ駆動機構５は、レンズホルダ５２に取り付けられた駆動コイルと、ヨーク５５に取り付けられた駆動マグネットにより構成される磁気駆動回路を備えており、駆動コイルに対する通電を制御することにより、レンズホルダ５２に保持された対物レンズ５１を光記録ディスク２に対してトラッキング方向およびフォーカシング方向に駆動する。
【００２３】
（光ヘッド装置の光学系の説明）
図３は、図１の光ヘッド装置における光学系を示す説明図である。
【００２４】
図２（Ｂ）および図３に示すように、光学モジュール３には、波長６５０ｎｍの第１のレーザ光を出射するＤＶＤ用の第１の発光素子２１と、波長７８０ｎｍの第２のレーザ光を出射するＣＤ用の第２の発光素子２２とを備えている。第１および第２の発光素子２１、２２は、金属製のリードフレーム上にサブマウント基板を介してダイオードチップが実装され、周囲に保護用の樹脂壁が形成された構造になっている。
【００２５】
また、光学モジュール３は、第１の発光素子２１から出射された第１のレーザ光、および第２の発光素子２２から出射された第２のレーザ光を、光路合成用光学素子であるプリズム２４によって光記録ディスク２に向かう共通光路に導くようになっており、この共通光路上には、λ／４板２５、コリメートレンズ２６がこの順に配置されている。また、光ヘッド装置１においては、この共通光路のコリメートレンズ２６の先に、装置フレーム４に搭載された立ち上げプリズム４２、および対物レンズ５１が光記録ディスク２との間に配置される。
【００２６】
本形態の光ヘッド装置１において、光学モジュール３では、第１の発光素子２１とプリズム２３との間に第１の回折素子７１が配置され、第２の発光素子２２とプリズム２４との間には、第２の回折素子７２およびλ／２板７９が配置されている。第１の回折素子７１は、第１のレーザ光からトラッキングエラー検出のための３ビームを生成するものであり、第２の回折素子７２は、第２のレーザ光からトラッキングエラー検出のための３ビームを生成するものである。
【００２７】
ここで、第１および第２の回折素子７１、７２はいずれも、ガラス基板に対して誘電体膜により格子面が形成された平板状である。
【００２８】
また、プリズム２３に対して第２の発光素子２２が配置されている側とは反対側には、非点収差発生素子としてのセンサレンズ２７と、センサレンズ２７から出射された戻り光を反射する信号検出用全反射ミラー２８と、信号検出用全反射ミラー２８によって導かれた光を受光する信号検出用受光素子９１とが配置されている。センサレンズ２７は、レーザ光の戻り光に対して非点収差を発生させるためのレンズである。さらに、プリズム２４に対して第２の発光素子２２と反対側には、第１の発光素子２１および第２の発光素子２２からプリズム２３、２４に向けて出射された光の一部が導かれるモニター用全反射ミラー２９と、このモニター用全反射ミラー２９によって導かれた光を受光するモニター用受光素子９２とが配置されている。
【００２９】
このように構成した光ヘッド装置１において、第１の発光素子２１から出射された第１のレーザ光は、一部がプリズム２３、２４の部分反射面を透過して、コリメートレンズ２６を介して対物レンズ５１に向けて出射される。また、第２の発光素子２２から出射された第２のレーザ光は、一部がプリズム２４の部分反射面によって反射され、その光軸が９０度折り曲げられてコリメートレンズ２６を介して対物レンズ５１に向けて出射される。
【００３０】
その際、第１の発光素子２１から出射された第１のレーザ光の一部、および第２の発光素子２２から出射された第２のレーザ光の一部は、モニター光として、プリズム２４およびモニター用全反射ミラー２９を介してモニター用受光素子９２に導かれる。このモニター用受光素子９２でのモニター結果は、第１の発光素子２１、および第２の発光素子２２にフィードバックされ、各々から出射されるレーザ光の強度が制御される。
【００３１】
一方、光記録ディスク２からの戻り光は、対物レンズ５１、立ち上げプリズム４２を逆に戻り、コリメートレンズ２６、およびプリズム２４、２３を介してセンサレンズ２７に向けて出射され、このセンサレンズ２７によって非点収差が付与された後、信号検出用全反射ミラー２８によって信号検出用受光素子９１に導かれ、信号検出用受光素子９１で検出される。
【００３２】
この信号検出用受光素子９１で検出される戻り光には、第１の発光素子２１から出射された第１のレーザ光が第１の回折素子７１で回折された３ビームと、第２の発光素子２２から出射された第２のレーザ光が第２の回折素子７２で回折された３ビームとが含まれ、これらの３ビームのうち、０次光からなるメインビームによって、信号の再生が行われるとともに、±１次回折光からなるサブビームによって、対物レンズ５１のトラッキングエラー信号の検出が行われる。
【００３３】
（光学モジュールの構成）
図４は、図１の光ヘッド装置に用いた光学モジュールにおいて第１のパッケージから第２のパッケージを取り外した状態を示す斜視図である。図５（Ａ）、（Ｂ）、（Ｃ）は、図１の光ヘッド装置に用いた光学モジュールにおいて、第２のパッケージを斜め上方から見た斜視図、第２のパッケージを斜め下方から見た斜視図、および第２のパッケージから金属板を外した状態を斜め下方から見た斜視図である。
【００３４】
本形態では、光ヘッド装置１を構成するにあたって、立上げプリズム４２、対物レンズ５１、および対物レンズ駆動機構５については装置フレーム４に直接、搭載するが、第１の発光素子２１、第２の発光素子２２、プリズム２３、２４、λ／４板２５、λ／２板７９、コリメートレンズ２６、センサレンズ２７、信号検出用全反射ミラー２８、モニター用全反射ミラー２９、第１の回折素子７１、第２の回折素子７２、信号検出用受光素子９１およびモニター用受光素子９２については、図２に示す光学モジュール３として一体化された状態で装置フレーム４に実装されている。
【００３５】
図２（Ａ）、（Ｂ）に示すように、光学モジュール３は、第１のパッケージ３１と、第２のパッケージ３２を重ねて接合したものであり、第２のパッケージ３２には、信号用受光素子９１およびモニタ用受光素子９２が隣接して配置され、それ以外の光学部品が第１のパッケージ３１に配置されている。
【００３６】
図２（Ｂ）に示すように、第１のパッケージ３１には、枠体３１０の下面側に第１の発光素子２１、第２の発光素子２２、プリズム２３、２４、λ／４板２５、λ／２板７９、コリメートレンズ２６、センサレンズ２７、第１の回折素子７１、第２の回折素子７２が露出した状態で取り付けられている。
【００３７】
また、図４に示すように、第１のパッケージ３１の枠体３１０の上面側には、第２のパッケージ３２が被さる部分に信号検出用全反射ミラー２８、およびモニター用全反射ミラー２９が隣接して取り付けられている。
【００３８】
図５（Ａ）、（Ｂ）に示すように、第２のパッケージ３２は、フレキシブル基板４を挟むように配線基板３２１と金属板３２２とを上から重ねることにより構成されている。配線基板３２１は、信号検出用受光素子９１およびモニター用受光素子９２の搭載面を金属板３２２に向けており、金属板３２２には、信号検出用受光素子９１およびモニター用受光素子９２を露出させる開口３２３が形成されている。また、図５（Ｃ）に示すように、信号検出用受光素子９１およびモニター用受光素子９２は、配線基板３２１に搭載された状態で透明樹脂３２４によって覆われているので、配線基板３２１を金属板３２２に重ねても、金属板３２２から絶縁された状態となる。
【００３９】
（回折素子の搭載構造）
図６（Ａ）、（Ｂ）、（Ｃ）は、図１の光ヘッド装置に用いた光学モジュールにおける回折素子の搭載構造を示す斜視図、回折素子の搭載部から回折素子を取り外した状態の斜視図、および回折素子の位置調整方法を示す説明図である。
【００４０】
図６（Ａ）、（Ｂ）に示すように、本形態の光学モジュール３では、第１のパッケージ３１に溝状凹部からなる第１の回折素子搭載部７１０が形成されている。第１の回折素子搭載部７１０には、第１の回折素子７１の前端面が当接する位置決め面７１１が形成され、第１の回折素子７１は、前端面が位置決め面７１１に当接して光軸方向に位置決めされた状態で接着剤により固定されている。また、第１の回折素子搭載部７１０には、第１の回折素子７１の背面側には板バネ７１２が配置されており、この板バネ７１２は、第１の回折素子７１を接着固定するまでの間、第１の回折素子７１の前端面を位置決め面７１１に向けて付勢することにより、第１の回折素子７１を仮固定するためのものである。さらに、第１の回折素子搭載部７１０の底部７１５には、図６（Ｃ）に示すように、突起７１３が形成されており、この突起７１３は、第１の回折素子７１を接着固定する前に第１の回折素子７１の光軸周りの角度位置を調整する際に第１の回折素子７１を光軸周り、あるいは光軸と平行な軸線周りに揺動させる支点となるものである。
【００４１】
図２（Ｂ）に示すように、第１のパッケージ３１には、第２の回折素子７２に対しても、溝状凹部からなる第２の回折素子搭載部７２０、第２の回折素子７２の前端面が当接する位置決め面７２１、仮固定用の板バネ７２２、および支点となる突起７２３（図６（Ｃ）を参照）が形成されているが、これらの構成は、第１の回折素子７１に対するものと同様であるため、それらの説明を省略する。
【００４２】
（光ヘッド装置の製造方法）
図７（Ａ）、（Ｂ）は、第１の回折素子が生成した３ビームとＤＶＤのトラックとの位置関係を模式的に示す説明図、および第２の回折素子が生成した３ビームとＣＤのトラックとの位置関係を模式的に示す説明図である。
【００４３】
本形態の光ヘッド装置１を製造するには、図２（Ｂ）に示すように、各光学部品を第１のパッケージ３１、および第２のパッケージ３２に搭載した後、パッケージ同士を接合して光学モジュール３を製作する。
【００４４】
それにはまず、所定形状のリードフレームをエポキシ樹脂、液晶ポリマーなどの樹脂をインサート成形、あるいはアルミニウムや亜鉛などの金属をダイキャスト成形して、第１のパッケージ３１、および第２のパッケージ３２を製造する。その際、第１のパッケージ３１には、リードフレームや樹脂部分の垂直面、水平面、あるいは傾斜面によって、第１の発光素子２１の位置決め面２１０、第２の発光素子２２の位置決め面２２０、プリズム２３、２４の位置決め面２３０、コリメートレンズ２６の位置決め面２６０、センサレンズ２７の位置決め面２７０を形成するとともに、図４に示すように、信号検出用全反射ミラー２８の位置決め面２８０、およびモニター用全反射ミラー２９の位置決め面２９０、第１の回折素子７１の搭載部７１０、第２の回折素子７２の搭載部７２０を形成しておき、各光学部品を所定箇所に搭載する。なお、λ／４板２５、λ／２板７９、プリズム２３、２４については、互いに接合して複合部品として一体化してから第１のパッケージ３１に実装するので、位置決め面２３０は、この複合部品全体の位置決めを行うことになる。
【００４５】
次に、信号検出用受光素子９１およびモニター用受光素子９２を第２のパッケージ３２の配線基板３２１の所定位置に実装した後、パッケージ同士を接合して光学モジュール３を製作する。その際、第１のパッケージ３１に固定した第１の発光素子２１を点灯させて、光学モジュール３の外部に設けたミラー部材（図示せず）で反射してきた戻り光を信号用検出受光素子９１で受光しつつ、第２のパッケージ３２の位置調整をして、第１の発光素子２１と、信号用検出受光素子９１との位置関係を決定する。信号用検出受光素子９１の位置決めした状態で第１のパッケージ３１と第２のパッケージ３２を固定する。次に、第２の発光素子２２を点灯させながら、光学モジュール３の外部に設けた光学系（図示せず）のミラー部材で反射された戻り光を信号用検出受光素子９１で受光しつつ、第２の発光素子２２の位置調整を行う。
【００４６】
また、第１および第２の回折素子７１、７２については、回折素子同士の相対的な位置関係を調整する。すなわち、光ヘッド装置１では、それを製造し終えた状態で、図７（Ａ）に示すように、第１の回折格子７１が生成したメインビームのスポット位置Ｂ１０とサブビームのスポット位置Ｂ１１、Ｂ１２との間隔、およびＤＶＤ系ディスクのトラックピッチに対応して、メインビームのスポット位置Ｂ１０、およびサブビームのスポット位置Ｂ１１、Ｂ１２を結んだ線Ｌ１と、ＤＶＤ系ディスクのトラック接線方向Ｌ１０が角度θ１をなすように、第１の回折素子７１の角度位置を調整する必要がある。また、図７（Ｂ）に示すように、第２の回折格子７２が生成したメインビームのスポット位置Ｂ２０とサブビームのスポット位置Ｂ２１、Ｂ２２との間隔、およびＣＤ系ディスクのトラックピッチに対応して、メインビームのスポット位置Ｂ２０、およびサブビームのスポット位置Ｂ２１、Ｂ２２を結んだ線Ｌ２と、ＣＤ系ディスクのトラック接線方向Ｌ２０が角度θ２をなすように、第２の回折素子７２の角度位置を調整する必要がある。そこで、本形態では、まず、光学パッケージ３を製造する段階で、第１のパッケージ３１の回折素子７１、７２の搭載部７１０、７２０において、第１および第２の回折素子７１、７２を板バネ７１２、７２２で仮固定した後、第１の回折素子７１が生成したメインビームＢ１０のスポット位置Ｂ１０、およびサブビームのスポット位置Ｂ１１、Ｂ１２を結んだ線Ｌ１と、第２の回折格子７２が生成したメインビームＢ２０のスポット位置Ｂ２０、およびサブビームのスポット位置Ｂ２１、Ｂ２２を結んだ線Ｌ２が角度Δθ（＝θ２−θ１）をなすように、突起７１３、７２３を支点にして、第１および第２の回折素子７１、７２を光軸周り、あるいは光軸と平行な軸線周りに揺動させて、第１および第２の回折素子７１、７２の角度位置を調整し、しかる後に、第１および第２の回折素子７１、７２を第１および第２の回折素子搭載部７１０、７２０に接着固定する。
【００４７】
このような光学モジュール３上（第１のパッケージ３１上）での第１および第２の回折素子７１、７２同士の相対的な位置関係の調整は、第１および第２の発光素子２１、２２を点灯させ、第１および第２の回折素子７１、７２により生成される１次回折光を画像処理技術などを利用して観察することにより行う。
【００４８】
また、第１および第２の回折素子７１、７２の相対的な位置関係の調整は、各々の格子パターンを光学的に観察して行ってもよい。
【００４９】
このようにして、光学モジュール３の段階で第１および第２の回折素子７１、７２の位置調整などを行った後、光学モジュール３を装置フレーム４に搭載して光ヘッド装置１を製造する。その際には、装置フレーム４上において、光学モジュール３を治具で仮固定し、この状態で、第１および第２の発光素子２１、２２を点灯させ、光記録ディスクからの戻り光を信号検出用受光素子９１でモニターしながら、光学モジュール３全体の角度位置などを調整し、しかる後に、光学モジュール３を装置フレーム４上に接着固定する。
【００５０】
なお、光学モジュール３全体の角度位置などを調整しやすいように、光学モジュール３の側、あるいは装置フレーム４の側に、光学モジュール３全体を揺動させる際の支点となる突起を形成しておくことが好ましい。
【００５１】
（本形態の主な効果）
以上説明したように、本形態では、２つの発光素子２１、２２、および２つの回折素子７１、７２などを光学モジュール３として一体化するとともに、光学モジュール３上で２つの回折素子７１、７２同士の相対的な位置関係を調整した後、光学モジュール３全体を装置フレーム４上で位置調整する。すなわち、対象となる光記録ディスクの種類が決まれば、そのトラックピッチが決まり、回折素子７１、７２同士の相対的な位置関係も決まるので、回折素子７１、７２同士の相対的な位置関係については、光学モジュール３上で調整しておく。それ故、光学モジュール３を装置フレーム４上に搭載してから小さな回折素子７１、７２の細かな位置調整を行わなくてもよいので、メインビームおよびサブビームのトラックに対する位置調整作業を容易に行うことができる。
【００５２】
また、本形態では、光学モジュール３における２つの回折素子搭載部７１０、７２０の各々に対して、回折素子７１、７２の光軸方向における位置決め面７１１、７２１と、回折素子７１、７２を光軸あるいは光軸に平行な軸線回りに揺動させる際の支点となる突起７１３、７２３とが形成されているので、光学モジュール３上で回折素子７１、７２同士の相対的な位置関係を容易に調整することができる。しかも、回折素子搭載部７１０、７２０において回折素子７１、７２を仮固定する板バネを用いたため、回折素子７１、７２の角度位置の調整作業を容易に行うことができる。
【産業上の利用可能性】
【００５３】
以上説明したように、本発明の光ヘッド装置の製造方法では、複数の光源、および複数の回折素子を光学モジュールとして一体化するとともに、光学モジュール上で複数の回折素子同士の相対的な位置関係を調整した後、光学モジュール全体を装置フレーム上で位置調整するので、光学モジュールを装置フレーム上に搭載してから小さな回折素子の細かな位置調整を行わなくてもよいので、メインビームおよびサブビームのトラックに対する位置調整作業を容易に行うことができる。
【００５４】
また、回折素子をバネ部材で位置決め部に向けて付勢して仮固定し、この状態で突起を支点にして回折素子を光軸周りあるいは光軸に平行な軸線回りに揺動可能にしておけば、回折素子の光軸周りの角度位置を容易に調整することができる。
【図面の簡単な説明】
【００５５】
【図１】（Ａ）、（Ｂ）、（Ｃ）は、本発明を適用した光ヘッド装置を斜め上方から見た斜視図、斜め下方から見た斜視図、および光ヘッド装置に用いた光学モジュールに給電用のフレキシブル基板を接続した状態を斜め上方から見た斜視図である。
【図２】（Ａ）、（Ｂ）は、図１の光ヘッド装置において光学系を構成する光学モジュールとプリズムと対物レンズを斜め上方から見た斜視図、および斜め下方から見た斜視図である。
【図３】図１の光ヘッド装置における光学系を示す説明図である。
【図４】図１の光ヘッド装置に用いた光学モジュールにおいて、第１のパッケージから第２のパッケージを取り外した状態を示す斜視図である。
【図５】（Ａ）、（Ｂ）、（Ｃ）は、図１の光ヘッド装置に用いた光学モジュールにおいて、第２のパッケージを斜め上方から見た斜視図、第２のパッケージを斜め下方から見た斜視図、および第２のパッケージから金属板を外した状態を斜め下方から見た斜視図である。
【図６】（Ａ）、（Ｂ）、（Ｃ）は、本形態の光学モジュールにおける回折素子の搭載構造を示す斜視図、回折素子の搭載部から回折素子を取り外した状態の斜視図、および回折素子の位置調整方法を示す説明図である。
【図７】（Ａ）、（Ｂ）は、第１の回折素子が生成した３ビームとＤＶＤのトラックとの位置関係を模式的に示す説明図、および第２の回折素子が生成した３ビームとＣＤのトラックとの位置関係を模式的に示す説明図である。
【符号の説明】
【００５６】
１  光ヘッド装置
２  光記録ディスク
３  光学モジュール
４  装置フレーム
５  対物レンズ駆動機構
２１  第１の発光素子
２２  第２の発光素子
２３、２４  プリズム
２７  コリメートレンズ
２８  信号検出用全反射ミラー
２９  モニター用全反射ミラー
３１  第１のパッケージ
３２  第２のパッケージ
４１  フレキシブル基板
４２  立ち上げプリズム
５１  対物レンズ
７１  第１の回折素子
７２  第２の回折素子
９１  信号検出用受光素子
９２  モニター用受光素子
７１０、７２０  回折素子搭載部
７１１、７２１  位置決め面（位置決め部）
７１２、７２２  板バネ
７１３、７２３  突起
【図１】
2005078661.tif 000003
【図２】
2005078661.tif 000004
【図３】
2005078661.tif 000005
【図４】
2005078661.tif 000006
【図５】
2005078661.tif 000007
【図６】
2005078661.tif 000008
【図７】
2005078661.tif 000009